(57)【要約】【課題】  オペレータが開放する必要のない集積部の開閉扉を誤って開放してしまうことがないようにする。【解決手段】  外扉によって開閉される装置本体と、この装置本体内に設けられ、紙葉類を処理する処理手段と、この処理手段によって処理された紙葉類を集積する集積部８と、この集積部８を開閉する扉体２１と、この扉体２１を閉じて施錠する電磁ロック機構２２と、外扉が開放されるのに基づいて電磁ロック機構２２の施錠を解除すべきか否かを判別する判別手段と、この判別手段の判別結果に基づいてロック手段の施錠を解除するように電磁ロック機構を制御する制御部と、この制御部によって電磁ロック機構２２の施錠が解除されるのに基づいて点灯される表示ランプ２３とを具備する。【選択図】      図３
2007062856.tif 000002
【特許請求の範囲】
【請求項１】
開閉扉によって開閉される装置本体と、
この装置本体内に設けられ、紙葉類を処理する処理手段と、
この処理手段によって処理された紙葉類を集積する集積部と、
この集積部を開閉する扉体と、
この扉体を閉じて施錠するロック手段と、
前記開閉扉が開放されるのに基づいて前記ロック手段の施錠を解除すべきか否かを判別する判別手段と、
この判別手段による判別結果に基づいて前記ロック手段の施錠を解除するように前記ロック手段を制御する制御手段と、
この制御手段によって前記ロック手段の施錠が開錠されるのに基づいて点灯される表示手段と、
を具備することを特徴とする紙葉類処理装置。
【請求項２】
前記表示手段は、前記制御手段によって前記ロック手段の施錠が解除されない場合に消灯されることを特徴とする請求項１記載の紙葉類処理装置。
【請求項３】
前記集積部は前記紙葉類を導入させて集積部の内部に導く回転羽根車を備えることを特徴とする請求項１記載の紙葉類処理装置。
【請求項４】
前記処理手段の動作停止中に、前記開閉扉が開放されると、前記ロック手段により前記扉体を施錠するとともに、前記表示手段を点灯させることを特徴とする請求項１記載の紙葉類処理装置。
【請求項５】
前記処理手段の動作中に、前記集積部でエラーが発生して前記開閉扉が開放されても、前記回転羽根車が回転されている場合には、前記ロック手段により前記扉体を施錠するように制御することを特徴とする請求項３記載の紙葉類処理装置。
【請求項６】
前記処理手段の動作中に、前記集積部でエラーが発生して前記開閉扉が開放され、前記回転羽根車が回転されていない場合には、前記ロック手段により前記扉体の施錠を解除するとともに、前記表示手段を点灯するように制御することを特徴とする請求項３記載の紙葉類処理装置。
【請求項７】
前記処理手段の動作中に、前記集積部以外でエラーが発生して前記開閉扉が開放された場合には、前記ロック手段により前記扉体を施錠するとともに、前記表示手段を消灯するように制御することを特徴とする請求項３記載の紙葉類処理装置。
【発明の詳細な説明】
【技術分野】
【０００１】
本発明は、例えば、紙幣などの紙葉類をその種類に応じて区分集積する紙葉類処理装置に関する。
【背景技術】
【０００２】
この種の紙葉類処理装置には、その装置本体の前面部に外扉を開閉自在に備え、装置本体内に紙葉類を区分集積するための集積庫を配設し、この集積庫の前面部も扉体によって開閉するものがある。
【０００３】
この紙葉類処理装置では、操作画面にて業務内容を指示するとともに紙葉類を投入部に投入させ、この投入部にセットされた紙葉類を給紙部へ移送して搬送路上に一枚ずつ供給する。この供給された紙葉類は搬送路上に配置されている検知部によりその情報が抽出される。そして、この抽出された紙葉類情報と、操作画面で指示された業務内容を基に紙葉類の搬送先である集積庫が決定され、この決定された集積庫に紙葉類が区分集積される。この集積庫に集積された紙葉類は、１００枚ずつ把束部に送られて帯で把束される（例えば、特許文献１参照。）。
【特許文献１】特開２００１−３１６０１２号公報
【発明の開示】
【発明が解決しようとする課題】
【０００４】
しかしながら、従来においては、集積庫の扉体が常時、開放可能な状態になっていたため、例えば、運転停止中おける外扉の開放時や、ジャム発生時に外扉を開放してエラー処理を行う場合などに、オペレータが開放する必要のない集積庫の扉体を誤って開放してしまうことがある。
【０００５】
この場合には、当該集積庫に集積している紙葉類の計数が保障できなくなるため、紙葉類を全て集積庫から取り除いて装置の投入部に再供給する所謂、持ち帰り処理が発生し、手間取るものとなる。
【０００６】
本発明は上記事情に着目してなされたもので、その目的とするところは、オペレータが開放する必要のない集積部の開閉扉を誤って開放してしまうことがないようにした紙葉類処理装置を提供することにある。
【課題を解決するための手段】
【０００７】
上記課題を解決するため、請求項１記載のものは、開閉扉によって開閉される装置本体と、この装置本体内に設けられ、紙葉類を処理する処理手段と、この処理手段によって処理された紙葉類を集積する集積部と、この集積部を開閉する扉体と、この扉体を閉じて施錠するロック手段と、前記開閉扉が開放されるのに基づいて前記ロック手段の施錠を解除すべきか否かを判別する判別手段と、この判別手段による判別結果に基づいて前記ロック手段の施錠を解除するように前記ロック手段を制御する制御手段と、この制御手段によって前記ロック手段の施錠が開錠されるのに基づいて点灯される表示手段とを具備する。
【発明の効果】
【０００８】
本発明によれば、装置本体の開閉扉の開放時において集積部に集積している紙葉類の計数を保障でき、持ち帰り処理を不要とすることができる。
【発明を実施するための最良の形態】
【０００９】
以下、本発明を図面に示す実施の形態を参照して詳細に説明する。
【００１０】
図１は本発明の一実施の形態である紙葉類処理装置の外観を示すものである。
【００１１】
紙葉類処理装置はその装置本体１の前面部に複数の開閉扉としての外扉２ａ〜２ｇ（以下、総称して外扉２とする場合もある）を開閉自在に配設している。外扉２ａ〜２ｇは、オペレータがエラー処理等で装置本体１の内部にアクセスする際に開放されるようになっている。装置本体１の前面一側部には、オペレータによる各種操作入力を受け付けるための操作部３が取り付けられている。
【００１２】
図２は紙葉類処理装置の内部構成を示すものである。
【００１３】
装置本体１内の一側部には、処理対象となる複数枚の紙葉類を投入させる投入部４が設けられ、投入部４の一側方部には投入部４から送り込まれる紙葉類を一枚ずつ取り込んで供給する給紙部５が設けられている。給紙部５から供給された紙葉類は搬送路６に沿って搬送される。この搬送路６上には紙葉類の搬送方向に沿って順次、処理手段としての複数の検知部７、複数の集積部８ａ〜８ｅ（以下、総称して集積部８とする場合もある）、複数の百枚帯掛け部９ａ〜９ｅ（以下、総称して百枚帯掛け部９とする場合もある）およびリジェクト集積部１０が配設されている。
【００１４】
検知部７は複数のセンサを介して当該紙葉類から各種情報を読み取って当該紙葉類の集積先を判定する判定部を有する。リジェクト集積部１０には、搬送路６上に取り込まれた紙葉類のうち排除すべき紙葉類が送り込まれる。紙葉類は、操作部３を介して設定された業務内容、および検知部７における検査結果に応じて所定の集積先へ導かれるようになっている。
【００１５】
図３は集積部８を示す正面図である。
【００１６】
集積部８には紙葉類を搬送路６から分離して集積させるための羽根車２０が設けられている。また、集積部８の前面部には扉体２１が設けられ、この扉体２１の前面部には取手部２１ａが設けられている。扉体２１は上下動自在及び回動自在に設けられている。
【００１７】
扉体２１はオペレータが集積部８から紙葉類を取り出す際に開放される。即ち、扉体２１は取手部２１ａを手に持って所定距離押し上げたのち、図４に示すように回動されて開放されるようになっている。また、集積部８には扉体２１をロックするロック手段としての電磁ロック機構２２、および表示手段としての表示ランプ２３が配設されている。
【００１８】
図５は電磁ロック機構２２を示す構成図である。
【００１９】
電磁ロック機構２２は被ロック部材２５をロックするロックレバー２６を備えている。
【００２０】
被ロック部材２５は扉体２１に固定されている。ロックレバー２６は中途部が支軸２７により回動自在に取り付けられ、上端部には被ロック部材２５を係止させる折曲部２６ａが形成されている。ロックレバー２６はスプリング２９によって支軸２７を中心として反時計方向に回動するように付勢されている。また、ロックレバー２６の下端部には、ソレノイド３０の操作干３０ａが接続されている。
【００２１】
ソレノイド３０が励磁されると、操作干３０ａが引き付けられてロックレバー２６は、スプリング２９の付勢力に抗して時計方向に回動されてその折曲部２６ａを被ロック部材２５に係止させる。これにより、集積部８の扉体２１の上方への押し上げがロックされてその開放が規制される。
【００２２】
ソレノイド３０が消磁されると、操作干３０ａの引き付けが解除されてロックレバー２６はスプリング２９の付勢力によって反時計方向に回動されてその折曲部２６ａを被ロック部材２５から離脱させる。これにより、集積部８の扉体２１の上方への押し上げが可能となりその開放が可能となる。
【００２３】
図６は、上記した電磁ロック機構２２および表示ランプ２３の駆動制御系を示すブロック図である。
【００２４】
電磁ロック機構２２および表示ランプ２３は、制御回路を介して制御手段／判別手段としての制御部１２に接続されている。また、制御部１２には送信回路を介して第１乃至第４の検知センサ１３〜１６が接続されている。
【００２５】
第１の検知センサ１３は装置本体１の外扉２の開放を検知するもので、第２の検知センサ１４は羽根車２０の回転を検知するものである。第３の検知センサ１５は集積部８、百枚帯掛部９における処理エラーを検知するもので、第４の検知センサ１６は集積部８、百枚帯掛部９以外における処理エラーを検知するものである。
【００２６】
制御部１２は装置の運転停止中に、第１の検知センサ１３から外扉２の開放検知信号が送信されてくると、電磁ロック機構２２を施錠するとともに、表示ランプ２３を消灯するように制御するようになっている。
【００２７】
また、制御部１２は装置の運転中に、第３の検知センサ１５から集積部８、百枚帯掛部９における処理エラー検知信号が送信され、第１の検知センサ１３から外扉２の開放検知信号が送信され、さらに、第２の検知センサ１４から羽根車２０の回転検知信号が送信されると、電磁ロック機構２２を施錠するように制御するようになっている。
【００２８】
さらに、制御部１２は装置の運転中に、第３の検知センサ１５から集積部８、百枚帯掛部９における処理エラー検知信号が送信され、第１の検知センサ１３から外扉２の開放検知信号が送信され、第２の検知センサ１４から羽根車２０の回転検知信号が送信されない場合には、電磁ロック機構２２を開錠するととともに、表示ランプ２３を点灯するように制御するようになっている。
【００２９】
また、制御部１２は装置の運転中に、第４の検知センサ１６から集積部８、百枚帯掛部９以外の処理エラー検知信号が送信され、第１の検知センサ１３から外扉２の開放検知信号が送信された場合には、電磁ロック機構２２を施錠するととともに、表示ランプ２３を消灯するように制御するようになっている。
【００３０】
次に、上記のように構成された紙葉類処理装置による運転停止中、即ち装置の動作が停止している状態での処理動作について、図７に示すフローチャートを参照して説明する。
【００３１】
まず、オペレータが外扉２を開けたことが第１の検知センサ１３によって検知され（ＳＴ０１）、ついで、集積部８の羽根車２０の回転が第２の検知センサ１４によって検知されると（ＳＴ０２）、制御部１２により電磁ロック機構２２が施錠される（ＳＴ０３）。これにより、オペレータが誤って集積部８の扉体２１を開けて回転中の羽根車２０に触れてしまうことを防ぐことができる。
【００３２】
羽根車２０の回転が検知されない場合には、電磁ロック機構２２を施錠して表示ランプ２３を消灯する（ＳＴ０４）。これにより、オペレータが誤って集積部８の扉体２１を開けてしまうことがなく、集積部８に集積された紙葉類の計数を保障できる。従って、紙葉類を全て取り除いて本装置に再供給する所謂、持ち帰り処理の発生を防止することができる。
【００３３】
ついで、オペレータによって外扉２が閉められた場合には（ＳＴ０５）、電磁ロック機構２２が解錠される（ＳＴ０６）。
【００３４】
次に、紙葉類の処理業務中において、エラーが発生した場合の処理について、図８に示すフローチャートを参照して説明する。
【００３５】
集積部８または百枚帯掛け部９でエラーが発生した場合（ＳＴ１０）、当該集積部８に集積している紙葉類の計数が保障できないので、持ち帰り処理、即ち当該集積部８に集積している紙葉類を取り出し、本装置に再供給する必要がある。この時には、オペレータにより外扉２が開けられたことが第１の検知センサによって検知され（ＳＴ１１）、また、集積部８の羽根車２０の回転が第２の検知センサ１４によって検知されると（ＳＴ１２）、制御部１２は電磁ロック機構２２を施錠する（ＳＴ１３）。これにより、オペレータが誤って集積部８の扉体２１を開けて回転中の羽根車２０に触れてしまうことを防ぐ。
【００３６】
羽根車２０の回転が検知されない場合には、電磁ロック機構２２を解錠して表示ランプ２３を点灯し（ＳＴ１４）、オペレータに持ち帰り処理を促す。オペレータは集積部８に集積された紙葉類を取り出し（ＳＴ１５）、ついで、集積部の扉体２１を閉じる（ＳＴ１６）。こののち、他の部分の全てのエラー処理が終了して（ＳＴ１７）、外扉２が閉められると（ＳＴ１８）、表示ランプ２３が消灯される（ＳＴ１９）。
【００３７】
次に、当該集積部８および当該百枚帯掛け部９以外でエラーが発生した場合には（ＳＴ２０）、当該集積部８での持ち帰り処理は不要であり、オペレータにより外扉２が開けられた場合（ＳＴ２１）、電磁ロック機構２２を施錠して表示ランプ２３を消灯する（ＳＴ２２）。これにより、オペレータが誤って集積部の扉体２１を開けてしまうことを防止して集積部８に集積された紙葉類が持ち帰り処理になることを防ぐ。
【００３８】
こののち、他の部分の全てのエラー処理が終了して（ＳＴ２３）、外扉２が閉められると（ＳＴ２４）、電磁ロック機構２２が解錠される（ＳＴ２５）。
【００３９】
上記したように、この実施の形態によれば、集積部８に扉体２１をロックする電磁ロック機構２２および表示ランプ２３を具備し、集積部８の扉体２１を開ける必要がない場合には、電磁ロック機構２２を施錠して表示ランプ２３を消灯させるため、オペレータが誤って集積部８の扉体２１を開けることができなくなり、持ち帰り処理を防止することができる。
【００４０】
また、運転停止中の装置の外扉２の開時や、ジャム発生時の装置の外扉２の開時でのエラー処理時に、集積部８の扉体２１を開ける必要がある（即ち持ち帰りが発生した）場合には、電磁ロック機構２２を開錠して表示ランプ２３を点灯させオペレータに処理を促すため、オペレーションの容易化が計られる。
【００４１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４２】
【図１】本発明の一実施の形態である紙葉類処理装置を示す外観斜視図。
【図２】図１の紙葉類処理装置の内部構成図。
【図３】図１の紙葉類処理装置の集積部を示す正面図。
【図４】図３の集積部の扉体が開放された状態を示す正面図。
【図５】図３の集積部の扉体の電磁ロック機構を示す斜視図。
【図６】図５の電磁ロック機構の駆動制御系を示すブロック図。
【図７】図５の電磁ロック機構の運転停止中の動作を示すフローチャート図。
【図８】図５の電磁ロック機構のエラー処理時の動作を示すフローチャート図。
【符号の説明】
【００４３】
１…装置本体、２…外扉（開閉扉）、７…検知部（処理手段）、８…集積部、１２…制御部（判別手段／制御手段）、２０…羽根車、２１…扉体、２２…電磁ロック機構（ロック手段）、２３…表示ランプ（表示手段）。
【図１】
2007062856.tif 000003
【図２】
2007062856.tif 000004
【図３】
2007062856.tif 000005
【図４】
2007062856.tif 000006
【図５】
2007062856.tif 000007
【図６】
2007062856.tif 000008
【図７】
2007062856.tif 000009
【図８】
2007062856.tif 000010